(57)【要約】【課題】発熱作用が低下することなく、蓬による効能を十分発揮することができる使い捨てカイロを提供する。【解決手段】発熱剤が充填された袋体２を備え、該袋体の一方の面に粘着剤層又は粘着剤層を有する粘着部材３を備えるとともに、前記袋体２の他方の面に、蓬の粉末が充填された第２の袋体４を貼着している。また、前記第２袋体４は、蓬の粉末を収容可能な複数の収容部５，６を備えたものから構成されていてもよい。【選択図】  図１
0003171253.tif 000002
【実用新案登録請求の範囲】
【請求項１】
発熱剤が充填された袋体を備え、該袋体の一方の面に粘着剤層又は粘着剤層を有する粘着部材を備えた使い捨てカイロであって、
前記袋体の他方の面に、蓬の粉末が充填された第２の袋体を貼着していることを特徴とする使い捨てカイロ。
【請求項２】
前記第２袋体が、蓬の粉末を収容可能な複数の収容部を備えたものから構成されていることを特徴とする請求項１に記載の使い捨てカイロ。
【請求項３】
前記第２袋体に、蓬の粉末の他に、霊芝の粉末を充填していることを特徴とする請求項１又は２に記載の使い捨てカイロ。
【考案の詳細な説明】
【技術分野】
【０００１】
本考案は、発熱剤が充填された袋体を備え、該袋体の一方の面に粘着剤層又は粘着剤層を有する粘着部材を備えた使い捨てカイロに関する。
【背景技術】
【０００２】
上記使い捨てカイロは、密封袋を開封して中から袋体を取り出すことによって、袋体に充填されている発熱剤が空気に触れて発熱し、カイロとして簡便に使用できるものである。そして、袋体の一方の面に備えた粘着剤層を利用して使い捨てカイロを患部や衣服に容易に貼り付けることができるように構成したものが、既に提案されている（例えば、特許文献１参照）。
【先行技術文献】
【特許文献】
【０００３】
【特許文献１】登録実用新案第３００１１７０号公報
【考案の概要】
【考案が解決しようとする課題】
【０００４】
特許文献１の使い捨てカイロは、発熱剤が空気に触れて発熱することによって、患部を直接又は衣服を通して間接的に温めるように構成されているものの、温める以外の効能がなく、近年において他の新たな効能を付加したものが要望されている。
【０００５】
例えば、発熱剤に微量の蓬（よもぎ）の粉末を混入した使い捨てカイロも考えられている。蓬は、本来、疲労回復、血行促進、筋肉のコリの緩和、神経痛、冷え性、抗菌作用などの様々な効能を発揮する。しかしながら、蓬が微量であるため、前記効能による効果が小さく実用性に乏しいものであった。因みに、蓬の粉末を多量に混入した使い捨てカイロを作製することも考えられるが、蓬を多量に入れると、その分だけ発熱剤の量が少なくなってしまい、発熱作用が非常に小さなものになってしまう。このため、使い捨てカイロ本来の温めるという機能が低下するだけでなく、少ない量の発熱剤の発熱作用では蓬に含まれている薬効成分を十分に蒸散させることができず、改善の余地があった。
【０００６】
そこで、本考案は、かかる事情に鑑みてなされたもので、発熱作用が低下することなく、蓬による効能を十分発揮することができる使い捨てカイロを提供することを課題とする。
【課題を解決するための手段】
【０００７】
本考案に係る使い捨てカイロは、発熱剤が充填された袋体を備え、該袋体の一方の面に粘着剤層又は粘着剤層を有する粘着部材を備えた使い捨てカイロであって、前記袋体の他方の面に、蓬の粉末が充填された第２の袋体を貼着していることを特徴とする。
【０００８】
本考案によれば、袋体に充填されている発熱剤が空気に触れることにより発熱を行う。この発熱によって別の第２の袋体内に充填された蓬が温められ蓬に含まれている薬効成分が蒸散する。そして、その蒸散した薬効成分が、患部に供給される。また、使い捨てカイロは、袋体の一方の面に粘着剤層又は粘着剤層を有する粘着部材を備えているので、粘着剤層又は粘着剤層を有する粘着部材を利用して使い捨てカイロを患部又は衣服に簡単に貼着固定することができる。
【０００９】
また、本考案に係る使い捨てカイロは、前記第２袋体が、蓬の粉末を収容可能な複数の収容部を備えたものから構成されていてもよい。
【００１０】
かかる構成によれば、第２袋体を、蓬の粉末を収容可能な複数の収容部から構成しておけば、１つの大きな収容部から構成している場合に比べて、個々の収容部に収容する内容物の量を少なくできる。そのため、収容部に収容される内容物の偏りを抑えることができ、第２袋体に入っている蓬の薬効成分を満遍なく蒸散させることができる。
【００１１】
また、本考案に係る使い捨てカイロは、前記第２袋体に、蓬の粉末の他に、霊芝の粉末を充填した構成であってもよい。
【００１２】
かかる構成によれば、霊芝の粉末を充填しておけば、蓬の効能の他に、衰弱疲労、不眠症、神経衰弱、消化不良、気管支疾患などに効果的であると言われる薬効成分を患部に蒸散することができる。尚、霊芝（Ｇａｎｏｄｅｒｍａ  Ｌｕｃｉｄｕｍ）は、別名万年茸（マンネンタケ）とも言い、マンネンタケ属サルノコシカケ科に属するキノコである。
【考案の効果】
【００１３】
以上の如く、本考案に係る使い捨てカイロによれば、袋体の他方の面に、蓬の粉末が充填された別の第２の袋体を貼着することによって、発熱作用が低下することなく、蓬による効能を十分発揮することができる使い捨てカイロを提供することができる。
【図面の簡単な説明】
【００１４】
【図１】本考案の使い捨てカイロの斜視図を示す。
【図２】図１におけるＡ−Ａ線断面図を示す。
【図３】他の使い捨てカイロの斜視図を示す。
【図４】他の使い捨てカイロの断面図を示す。
【考案を実施するための形態】
【００１５】
以下、本考案に係る使い捨てカイロについて、図１及び図２を参酌して説明する。この使い捨てカイロは、鉄粉の酸化作用を利用したカイロであり、発熱剤１が充填された長方形状の第１の袋体２と、第１袋体２の一方の面に備えた粘着部材３と、第１袋体２の他方の面に貼着された第２の袋体４とを備えている。
【００１６】
発熱剤１は、主成分である鉄粉、反応触媒作用のある水及び食塩、高分子吸水剤、活性炭、保水剤としてのバーミキュライトなどが混ぜられて構成されている。
【００１７】
第１袋体２は、二枚の通気性を有する合成樹脂製（布製又は紙製でもよい）のシート２Ａ，２Ｂと、粘着部材３側のシート２Ｂの粘着部材３側面に備えさせた粘着層２Ｃ（図２のみ図示している）とを備え、発熱剤１を二枚のシート２Ａ，２Ｂ間に収容した状態で二枚のシート２Ａ，２Ｂの外周縁同士を接着剤２Ｓ（図１のみ図示している）を用いて連結することによって、発熱剤１を二枚のシート２Ａ，２Ｂ間に収納することができる。ここでは、一方のシート２Ｂよりも他方のシート２Ａを少し大きな寸法に構成し、発熱剤１の充填に伴って他方のシート２Ａが一方のシート２Ｂから離間する側（図１，図２では上方）に移動することによって、収納部が形成されるようになっているが、両方のシート２Ａ，２Ｂをほぼ同一の大きさに構成し、それらシート２Ａ，２Ｂが互いに離間する側へ移動することによって、収納部が形成される構成であってもよい。尚、粘着部材３側のシート２Ｂを、非通気性を有する合成樹脂フィルムで構成してもよい。
【００１８】
粘着部材３は、第１袋体２のシート２Ｂが粘着層２Ｃにより粘着固定される長方形状でシート状の本体３Ａと、本体３Ａの第１袋体２とは反対側の面に設けられ使い捨てカイロを患部や衣服に粘着固定するための粘着層３Ｃと、粘着層３Ｃを覆うための剥離紙３Ｂとを備えている。
【００１９】
第２袋体４は、第１袋体２のほぼ半分の大きさに構成されたほぼ正方形状の２つの収容部を構成する独立した２つの袋体５，６からなり、それら２つの袋体５，６には、蓬の粉末及び霊芝の粉末が収納されている。また、２つの袋体５，６のそれぞれは、第１袋体２に粘着固定されている。
【００２０】
一方の袋体５は、二枚の通気性を有する合成樹脂製又は布製あるいは紙製のシート５Ａ，５Ｂと、第１袋体２側のシート５Ｂの第１袋体２側面に備えさせた粘着層５Ｃ（図２のみ図示している）とを備え、蓬の粉末を１．５ｇ（１ｇ〜２ｇの間であってもよい）及び霊芝の粉末を０．５ｇ（０．１ｇ〜１．０ｇ）を二枚のシート５Ａ，５Ｂ間に収容した状態で二枚のシート５Ａ，５Ｂの外周縁同士を接着剤５Ｓ（図１のみ図示している）を用いて連結することによって、蓬の粉末及び霊芝の粉末を二枚のシート５Ａ，５Ｂ間に収納することができる。ここでは、一方のシート５Ｂよりも他方のシート５Ａを少し大きな寸法に形成し、蓬の粉末及び霊芝の粉末の充填に伴って他方のシート５Ａが一方のシート５Ｂから離間する側（図１，図２では上方）に移動することによって、収納部が形成されるようになっているが、両方のシート５Ａ，５Ｂをほぼ同一の大きさに構成し、それらシート５Ａ，５Ｂが互いに離間する側へ移動することによって、収納部が形成される構成であってもよい。
【００２１】
他方の袋体６は、二枚の通気性を有する合成樹脂製（布製又は紙製でもよい）のシート６Ａ，６Ｂと、第１袋体２側のシート６Ｂの第１袋体２側面に備えさせた粘着層６Ｃ（図２のみ図示している）とを備え、蓬の粉末を１．５ｇ（１ｇ〜２ｇの間であってもよい）及び霊芝の粉末を０．５ｇ（０．１ｇ〜１．０ｇ）を二枚のシート６Ａ，６Ｂ間に収容した状態で二枚のシート６Ａ，６Ｂの外周縁同士を接着剤６Ｓ（図１のみ図示している）を用いて連結することによって、蓬の粉末及び霊芝の粉末を二枚のシート６Ａ，６Ｂ間に収納することができる。ここでは、一方のシート６Ｂよりも他方のシート６Ａを少し大きな寸法に形成し、蓬の粉末及び霊芝の粉末の充填に伴って他方のシート６Ａが一方のシート６Ｂから離間する側に移動することによって、収納部が形成されるようになっているが、両方のシート６Ａ，６Ｂをほぼ同一の大きさに構成し、それらシート６Ａ，６Ｂが互いに離間する側へ移動することによって、収納部が形成される構成であってもよい。
【００２２】
前記のように構成された使い捨てカイロは、空気が入り込むことがない密閉袋内に収容されて流通されることになる。そして、密閉袋を破って中から使い捨てカイロを取り出し、剥離紙３Ｂを取り外してから、粘着層３Ｃを所望の患部又は衣服に当て付けることによって、使い捨てカイロを患部又は衣服に粘着固定することができる。この使い捨てカイロは、第１袋体２の内部に空気が入り込むことによって、発熱剤１が発熱し、患部を温めるだけでなく、蓬及び霊芝が温められることで、それらの有効成分が蒸散して患部に供給される。
【００２３】
第２袋体４が、蓬の粉末及び霊芝の粉末を収容可能な複数（ここでは２つ）の袋体５，６から構成することによって、個々の袋体５，６に収容する内容物の量を少なくできる。そのため、袋体５，６に収容される内容物の偏りを抑えることができ、袋体５，６に入っている蓬及び霊芝の薬効成分を満遍なく蒸散させることができる。
【００２４】
尚、本考案に係る使い捨てカイロは、上記実施形態に限定されるものではなく、本考案の要旨を逸脱しない範囲で種々の変更が可能である。
【００２５】
例えば、図３に示すように、使い捨てカイロが、粘着部材３を第１袋体２と同じ大きさに構成したものであってもよい。図３では、図１で示した使い捨てカイロと、粘着部材３の長さが異なる（図１に比べて短い、つまり第１袋体２と同一の大きさにしている）だけで他の部分は、同一であるため、同一の符号を付すとともに説明は省略する。また、使い捨てカイロの第１袋体２の発熱剤の発熱温度を感知して色変化する温度シールを貼り付けることによって、発熱剤の発熱が終了したことを容易に把握することができるようにしてもよい。
【００２６】
前記実施形態では、第２袋体４に、蓬の粉末の他に、霊芝の粉末を充填したが、蓬の粉末のみを充填してもよい。
【００２７】
また、前記実施形態では、粘着部材３を備えた使い捨てカイロを示したが、粘着部材３を省略し、粘着層を備えた使い捨てカイロであってもよい。これを図４に示している。図４では、粘着層が第１袋体２のシート２Ｂが粘着層２Ｃになっている。実際には、粘着層２Ｃを覆う剥離紙（図示せず）を備えさせることになる。
【００２８】
また、前記実施形態では、使い捨てカイロを長方形のものを示したが、正方形の他、多角形、円形又は楕円形に構成して実施してもよい。
【００２９】
また、前記実施形態では、２つの収容部を独立した２つの袋体５，６から構成したが、一つの袋体に複数の収容部が区画形成されたものや、複数の袋体が連結されたものから構成してもよい。また、収容部を２つ設ける他、１つあるいは３つ以上設けて実施してもよい。
【符号の説明】
【００３０】
１…発熱剤、２…第１袋体、２Ａ，２Ｂ…シート、２Ｃ…粘着層、２Ｓ，５Ｓ，６Ｓ接着剤、３…粘着部材、３Ａ…本体、３Ｂ…剥離紙、３Ｃ…粘着層、４…第２袋体、５，６…袋体（収納部）、５Ａ，５Ｂ，６Ａ，６Ｂ…シート、５Ｃ，６Ｃ…粘着層
【図１】
0003171253.tif 000003
【図２】
0003171253.tif 000004
【図３】
0003171253.tif 000005
【図４】
0003171253.tif 000006